(57)【特許請求の範囲】
【請求項１】
調節用鉤ホックは、鉤ホック基体と鉤ホック主体とからなり、
鉤ホック基体は、バネ収納空間を長手方向に形成し、該両側縁に摺動レールを具備し、バネ収納空間にバネを収装し、底部の一端部を下方側へ延設させ、長手方向の内側へ折曲させて雄ホックを形成し、底部の他端部にバネガイド片を起立形成し、前記バネの一端を前記バネガイド片に咥え込み固定し、
鉤ホック主体は、上方に突出して形成された雌ホックを有し、基板の長手方向の一端部に鉤ホック基体のバネ収納空間内に収装した前記バネと当接する突片を有し、
前記基板の両側縁を一方の面側に折返して、前記摺動レールを摺動自在に抱持するレール覆縁を形成し、
前記摺動レールにレール覆縁を抱持させ、鉤ホック基体に鉤ホック主体を摺動自在に係着し、摺動レールの端部の当接片にて脱抜防止することを特徴とする調節用鉤ホック。
【請求項２】
調節用鉤ホックは、鉤ホック基体と鉤ホック主体とからなり、
鉤ホック基体は、バネ収納空間を長手方向に形成し、該両側縁に摺動レールを具備し、バネ収納空間にバネを収装し、底部の一端部に当接片を、他端部にバネガイド片をそれぞれ起立形成し、前記バネの一端を前記バネガイド片に咥え込み固定し、前記当接片を延設して長手方向の外側に折曲し、下方側に開口部が形成されるよう長手方向の内側に折返した折返し片が鉤ホック基体の底部と略同一面上にある雄ホックを形成し、
鉤ホック主体は、上方に突出して形成された雌ホックを有し、鉤ホック基体のバネ収納空間内に収装した前記バネと当接し、且つ前記当接片に対応する突片を有し、
前記基板の両側縁を一方の面側に折返して、前記摺動レールを摺動自在に抱持するレール覆縁を形成し、前記摺動レールにレール覆縁を抱持させ、鉤ホック基体に鉤ホック主体を摺動自在に係着したことを特徴とする調節用鉤ホック。
【請求項３】
調節用鉤ホックは、鉤ホック基体と鉤ホック主体とからなり、
鉤ホック基体は、バネ収納空間を長手方向に形成し、該両側縁に摺動レールを具備し、バネ収納空間にバネを収装し、底部の一端部にバネガイド片を起立形成し、前記バネの一端を前記バネガイド片に咥え込み固定し、前記一端部が長手方向に延設し下方へ向けて突出して間隙を有する雌ホックを形成し、
鉤ホック主体は、基板の長手方向の一端部に鉤ホック基体のバネ収納空間内に収装した前記バネと当接する突片を有し、他端部が上方に延設して、突片の有する方へ折曲して雄ホックを形成し、前記基板の両側縁を一方の面側に折返して、前記摺動レールを摺動自在に抱持するレール覆縁を形成し、
前記摺動レールにレール覆縁を抱持させ、鉤ホック基体に鉤ホック主体を摺動自在に係着し、摺動レールの端部の当接片にて脱抜防止することを特徴とする調節用鉤ホック。
【請求項４】
鉤ホック基体における底部の他端部に貫通孔を設ける請求項１乃至請求項３のいずれか１項に記載の調節用鉤ホック。
【発明の詳細な説明】
【技術分野】
【０００１】
本発明は、主としてズボンやスカート等にウエストサイズ調整用としてウエスト部に取付けて使用され、これらのサイズを一定範囲内において自動的に調整可能とする調整用鉤ホックに関する。
【背景技術】
【０００２】
従来から、ズボン或いはスカート等の衣服のウエストサイズを調整可能とする構成が知られている。
例えば、円滑な動作が確保でき、腹圧等によりホックが負荷を受けたときに雌雄ホックウエスト寸法の自動調節が円滑に行われる構造の衣服用ホックにおいて、更に全体厚さを減少した雌ホック又は雄ホックが公知である（例えば、特許文献１参照）。
【特許文献１】特許公報３８１１６０７号公報
【発明の開示】
【発明が解決しようとする課題】
【０００３】
しかし、当該構成においては、雌ホックに衣服への取り付け部材を有するガイド部材が底部となっており、衣服への取り付けを前提としたものである。従って、ズボン或いはスカート等を購入した際に、特許文献１における衣服用ホックを有する衣服であれば問題ないが、当該衣服用ホックを有しない衣服であれば、購入時に取り付けられている衣服用ホックとは別に特許文献１における衣服用ホックを衣服へ取り付けなければならない。
このような場合には、衣服のウエスト部に衣服用ホックを並列して複数に亘り有することになるか、或いは、購入時に取り付けられていた衣服用ホックを取り外した後に、特許文献１における衣服用ホックを取り付ける等といったこととなり、体裁が悪くなるか、或いは、取替え作業が煩雑なものとなる。
また、雄ホックと雌ホックが別体である為、いずれを紛失しても使用が不可能となってしまうものである。
【０００４】
そこで、本発明はこのような問題点を解決するものであって、主としてズボンやスカート等にウエストサイズ調整用としてウエスト部に取付けて使用され、これらのサイズを一定範囲内において自動的に調整可能とする調整用鉤ホックであり、購入時における衣服用ホックへ着脱可能とした調整用鉤ホックを提供することを課題とする。
【課題を解決するための手段】
【０００５】
前記問題点を解決するために、本発明の請求項１に記載の発明の調節用鉤ホックは、調節用鉤ホックは、鉤ホック基体と鉤ホック主体とからなり、鉤ホック基体は、バネ収納空間を長手方向に形成し、該両側縁に摺動レールを具備し、バネ収納空間にバネを収装し、底部の一端部を下方側へ延設させ、長手方向の内側へ折曲させて雄ホックを形成し、底部の他端部にバネガイド片を起立形成し、前記バネの一端を前記バネガイド片に咥え込み固定し、鉤ホック主体は、上方に突出して形成された雌ホックを有し、基板の長手方向の一端部に鉤ホック基体のバネ収納空間内に収装した前記バネと当接する突片を有し、前記基板の両側縁を一方の面側に折返して、前記摺動レールを摺動自在に抱持するレール覆縁を形成し、前記摺動レールにレール覆縁を抱持させ、鉤ホック基体に鉤ホック主体を摺動自在に係着し、摺動レールの端部の当接片にて脱抜防止することを特徴とするものである。
【０００６】
また、本発明の請求項２に記載の発明の調節用鉤ホックは、調節用鉤ホックは、鉤ホック基体と鉤ホック主体とからなり、鉤ホック基体は、バネ収納空間を長手方向に形成し、該両側縁に摺動レールを具備し、バネ収納空間にバネを収装し、底部の一端部に当接片を、他端部にバネガイド片をそれぞれ起立形成し、前記バネの一端を前記バネガイド片に咥え込み固定し、前記当接片を延設して長手方向の外側に折曲し、下方側に開口部が形成されるよう長手方向の内側に折返した折返し片が鉤ホック基体の底部と略同一面上にある雄ホックを形成し、鉤ホック主体は、上方に突出して形成された雌ホックを有し、鉤ホック基体のバネ収納空間内に収装した前記バネと当接し、且つ前記当接片に対応する突片を有し、前記基板の両側縁を一方の面側に折返して、前記摺動レールを摺動自在に抱持するレール覆縁を形成し、前記摺動レールにレール覆縁を抱持させ、鉤ホック基体に鉤ホック主体を摺動自在に係着したことを特徴とするものである。
【０００７】
また、本発明の請求項３に記載の発明の調節用鉤ホックは、調節用鉤ホックは、鉤ホック基体と鉤ホック主体とからなり、鉤ホック基体は、バネ収納空間を長手方向に形成し、該両側縁に摺動レールを具備し、バネ収納空間にバネを収装し、底部の一端部にバネガイド片を起立形成し、前記バネの一端を前記バネガイド片に咥え込み固定し、前記一端部が長手方向に延設し下方へ向けて突出して間隙を有する雌ホックを形成し、鉤ホック主体は、基板の長手方向の一端部に鉤ホック基体のバネ収納空間内に収装した前記バネと当接する突片を有し、他端部が上方に延設して、突片の有する方へ折曲して雄ホックを形成し、前記基板の両側縁を一方の面側に折返して、前記摺動レールを摺動自在に抱持するレール覆縁を形成し、前記摺動レールにレール覆縁を抱持させ、鉤ホック基体に鉤ホック主体を摺動自在に係着し、摺動レールの端部の当接片にて脱抜防止することを特徴とするものである。
【０００８】
また、本発明の請求項４に記載の発明の調節用鉤ホックは、請求項１乃至請求項３のいずれか１項に記載の調節用鉤ホックにおいて、鉤ホック基体における底部の他端部に貫通孔を設けるものである。
【発明の効果】
【０００９】
請求項１記載の調節用鉤ホックに係る発明では、ズボン、スカート等のウエストサイズが利用者のウエストサイズに適合するサイズに自動的に調節されるといった、従来からの効果と同様の効果を奏することは勿論のこと、購入時よりズボン、スカート等に取り付けられている衣服用雌ホックに調節用鉤ホックにおける鉤ホック基体の雄ホックを取り付けることができるので、既存のズボン等にも使用することができる。
これによって、衣服のウエスト部にホックを並列して複数に亘り有するといった体裁が悪くなるということもなくなる。
また、購入時よりズボン、スカート等に取り付けられている衣服用雌ホックを取替える必要もなくなる。
更に、ズボン、スカート等のウエスト部の生地に直接取り付けないことから、調節用鉤ホックの着脱を容易に行うことができる。
これによって、着用するズボン、スカート等に合わせて、即座に調節用鉤ホックを使用することができるので、汎用性を持たせることができる。
また、鉤ホック主体に雌ホックを形成し、鉤ホック基体に雄ホックを具備したので、部品点数を削減することができ、コストを削減することができる。
【００１０】
請求項２記載の調節用鉤ホックに係る発明では、請求項１に記載の調節用鉤ホックにおける効果に加えて、鉤ホック基体における底部の一端部に当接片を形成し、当該当接片を延設して長手方向の外側に折曲し、下方側に開口部が形成されるよう長手方向の内側に折返した折返し片が鉤ホック基体の底部と略同一面上にある雄ホックを形成したので、調節用鉤ホックにおける全体の高さを減少させることができる。
これによって、調節用鉤ホックを全体として薄型にすることができ、意匠性を向上させることができる。
また、鉤ホック主体がスライドした際においても、鉤ホック基体における雄ホックが露呈するだけであるので、請求項１における調節用鉤ホックと比較して意匠性を向上させることができる。
【００１１】
請求項３記載の調節用鉤ホックに係る発明では、雌ホックを衣服用雄ホックに取り付ける為、利用者が調節用鉤ホックの取り付けられたズボン、スカート等を着衣する際等において、第三者からは当該調節用鉤ホックの使用の有無がわからない状態となり、体裁をよくすることができる。
さらに、雄ホックは鉤ホック主体における基板の端部を上方に延設して、突片の有する方へ折曲して形成し、雌ホックは鉤ホック基体における底部の端部を長手方向に延設し下方へ向けて突出して間隙を有するように形成したので、部品点数を削減することができ、コストを削減することができる。
また、鉤ホック主体及び鉤ホック基体と一体に形成することから、雄ホック又は雌ホックのみを紛失してしまい調節用鉤ホックの使用ができなくなることもない。
【００１２】
請求項４記載の調節用鉤ホックに係る発明では、請求項１乃至請求項３のいずれか１項に記載の調節用鉤ホックにおいて、鉤ホック基体における底部の他端部に貫通孔を設けるので、当該端部をズボン、スカート等におけるウエスト部へ縫着糸等を用いてしっかりと固着することができる。
【発明を実施するための最良の形態】
【００１３】
以下、本発明の実施の形態における調節用鉤ホックを図面に基づいて説明する。
【００１４】
図１は、本発明の実施例１における調節用鉤ホックの各部品の斜視図である。図２は、本発明の実施例１における調節用鉤ホックの斜視図である。図３は、本発明の実施例１における調節用鉤ホックの（ａ）正面図、及び（ｂ）正面垂直断面図である。図４は、本発明の実施例１における調節用鉤ホックをズボンにおけるズボン雌ホックへ取り付けた際の部分説明図である。図５は、本発明の実施例１における調節用鉤ホックをズボンにおけるズボン雌ホックへ取り付けた際の垂直断面図である。図６は、本発明の実施例２における調節用鉤ホックの各部品の斜視図である。図７は、本発明の実施例２における調節用鉤ホックの斜視図である。図８は、本発明の実施例２における調節用鉤ホックの（ａ）正面図、及び（ｂ）正面垂直断面図である。図９は、本発明における調節用鉤ホックにおいて雌ホックを複数個有した（ａ）実施例１の斜視図、及び（ｂ）実施例２の斜視図である。図１０は、本発明の実施例３における調節用鉤ホックの各部品の斜視図である。図１１は、本発明の実施例３における調節用鉤ホックの斜視図である。図１２は、本発明の実施例３における調節用鉤ホックの（ａ）正面図、及び（ｂ）正面垂直断面図である。図１３は、本発明の実施例３における調節用鉤ホックをズボンにおけるズボン雄ホックへ取り付けた際の部分説明図である。図１４は、本発明の実施例３における調節用鉤ホックをズボンにおけるズボン雄ホックへ取り付けた際の垂直断面図である。図１５は、本発明の実施例３における別仕様の調節用鉤ホックの斜視図である。
【実施例１】
【００１５】
本発明の調節用鉤ホックの実施例１について、図１乃至図５に基づいて説明する。
【００１６】
本願発明の実施の形態に係る調節用鉤ホック１は、図４に示すように、ズボン５におけるウエスト部５ａのズボン雄ホック５ｄへ取り付けられる鉤ホック主体２、ウエストサイズを自動調整可能とするバネ３、及びズボン雌ホック５ｅへ取り付けられる鉤ホック基体４が係合されることによって構成されている。
【００１７】
図１に示すように、前記鉤ホック主体２は、金属板を折曲することにより形成され、基板２ａ、側部２ｂ、突片２ｃ、及び雌ホック２ｄからなるものである。
前記基板２ａは、長手方向において略中央部から両端部にかけて下方に緩やかな曲面を有するものである。
【００１８】
また、前記側部２ｂは、前記基板２ａの幅方向より、垂直下方に所定の高さを有するよう折曲されている。更に、前記側部２ｂの略中部には、前記鉤ホック基体４における摺動レール４ｂを覆設して係合し得るレール覆縁２ｆが設けられている。
【００１９】
前記突片２ｃは、前記基板２ａにおける長手方向の一端部より、垂直下方に所定の高さを有するよう折曲されている。前記突片２ｃの幅方向は、前記バネ３と当接する為、前記バネ３のバネ幅３ａよりも大きければよいものである。
また、前記突片２ｃ側における前記基板２ａには、前記ズボン雄ホック５ｄが挿通する間隙２ｅを有するよう前記雌ホック２ｄが上方へ突出して設けられている。
【００２０】
前記バネ３は、所定の線形でバネ幅３ａ、バネ長３ｂ及びバネ高３ｃから成り、外形が略直方体になるよう形成されている。
【００２１】
前記鉤ホック基体４は、金属板を折曲することにより形成され、底部を形成するバネ収納空間４ａ、前記鉤ホック主体２と係合し得る摺動レール４ｂ、前記バネ３を持設するバネガイド片４ｃ、バネの付勢力による脱離を防止する当接片４ｄ、ズボン５におけるウエスト部５ａのズボン雌ホック５ｅへ取り付けられる雄ホック４ｅからなるものである。
【００２２】
前記バネ収納空間４ａは、長手方向において略中央部から両端部にかけて、前記鉤ホック主体２の前記基板２ａと同様に下方に緩やかな曲面を有するもので、前記バネ収納空間４ａの一端部よりの略中央部に所定の幅と長さを有するバネガイド片４ｃが一端部を基部として、所定の高さを有するよう折曲して設けてある。このとき、前記バネガイド片４ｃの折曲高さは、後に取付けられる前記バネ３の線形より大きく設けてあればよく、幅はバネ幅３ａよりも小さく形成していれば、前記バネ３を取付けることができる。
【００２３】
また、前記バネガイド片４ｃの基部側における前記バネ収納空間４ａの一端部には、略長方形状の貫通孔４ｆが設けられている。一方、他端部は、前記バネ収納空間４ａの端部を延設して垂直下方へ折曲した後、ズボン５におけるウエスト部５ａの前記ズボン雌ホック５ｅへ取り付け可能となるように、前記バネ収納空間４ａにおける長手方向の内側方向にも折曲されている。
【００２４】
前記摺動レール４ｂは、長手方向における前記バネ収納空間４ａの前記貫通孔４ｆより所定の寸法だけ内側へ入り込んだ位置から垂直上方へ折曲された後に、前記バネガイド片４ｃの高さ位置を基準にして前記バネ収納空間４ａにおける幅方向の外側へ所定の寸法を有するよう折曲され、形成されている。
【００２５】
前記当接片４ｄは、前記摺動レール４ｂにおける前記雄ホック４ｅ側にのみ設けられるもので、長手方向へ折り返して折曲させることにより、形成されている。また、前記当接片４ｄは、前記鉤ホック主体２が係合された際に、前記レール覆縁２ｆと当接するように設けられており、前記バネ３の付勢力によって、前記鉤ホック主体２が脱離するのを防止する。
【００２６】
次に、本実施例１における前記調節用鉤ホック１の組立方法の一例について説明する。
まず、前記鉤ホック基体４に設けられた前記バネガイド片４ｃを前記バネ３の一端部のバネ幅３ａの内形に嵌設させる。この状態で、前記バネガイド片４ｃに嵌設されていない前記バネ３の他端部の上方に、前記鉤ホック主体２に設けられた前記突片２ｃが位置するように配置した後、前記バネ３の他端部を前記鉤ホック主体２における長手方向の前記突片２ｃの内側面で押縮させながら、前記鉤ホック基体４における前記摺動レール４ｂの外側に前記鉤ホック主体２における前記レール覆縁２ｆを位置させる。後に、前記鉤ホック主体２における前記レール覆縁２ｆを前記摺動レール４ｂの内側へ覆設して折曲させることで、図２及び図３に示すようにして、前記調節用鉤ホック１は組立てられる。
【００２７】
このとき、前記バネ３の付勢力により、前記鉤ホック主体２は脱離する方向へスライド可能となるが、前記鉤ホック基体４に設けられた前記当接片４ｄが前記レール覆縁２ｆと当接する為、前記鉤ホック主体２は外れることはない。
【００２８】
図４及び図５に示すようにして、本実施例１における前記調節用鉤ホック１はズボン５等へと取付けられる。
まず、購入時より下生地５ｃにおけるウエスト部５ａに取り付けられているズボン雌ホック５ｅに前記調節用鉤ホック１における前記雄ホック４ｅを取り付ける。このとき、前記鉤ホック基体４における前記貫通孔４ｆを前記下生地５ｃの端部側に位置するように取り付ける。
次に、前記貫通孔４ｆを利用して縫着糸５ｆにて前記下生地５ｃに固着することで、前記調節用鉤ホック１はしっかりと前記下生地５ｃに取り付けられ、作用可能となる。
【００２９】
また、前記調節用鉤ホック１における前記雄ホック４ｅのみにて、前記ズボン雌ホック５ｅにしっかりと固定できる際には、当該端部を前記縫着糸５ｆによって固着しなくてもよい。
これによって、着用する前記ズボン５に合わせて、即座に前記調節用鉤ホック１を使用することができるので、汎用性を持たせることができる。
【００３０】
本実施例によれば、図４及び図５に示すように、前記調節用鉤ホック１が取付けられた前記ズボン５は、利用者（着衣者）が着衣して、前記ズボン雄ホック５ｄを前記調節用鉤ホック１の前記雌ホック２ｄに掛ける。
このとき、前記雌ホック２ｄは、前記バネ３の付勢力によって、ウエスト引き締め方向に付勢されている。これにより、利用者の体型あるいは腹圧にあわせて前記ズボン５のウエストサイズが利用者のウエストサイズに適合するサイズとなる。
【００３１】
一方、利用者が起立姿勢から着座姿勢に移ったり、食事により空腹から満腹になったりすると、利用者のウエストサイズが増大する。このとき、前記ズボン５のウエストサイズを増大させる方向、すなわち、前記ズボン５の前記上生地５ｂと前記下生地５ｃとが離隔する方向へ前記ズボン５の前記ウエスト部５ａに力が加わり、前記上生地５ｂにおける前記雄ホック５ｄが前記調節用鉤ホック１における前記雌ホック２ｄを一端側に引っ張ることとなる。
前記雌ホック２ｄが一端側に引かれると、前記鉤ホック主体２は、前記バネ３の付勢力に抗して引かれることにより、一端側にスライド移動する。よって、前記鉤ホック主体２のスライドにより、前記ズボン５のウエストサイズが増大される。これにより、前記ズボン５のウエストサイズが利用者のウエストサイズに適合するサイズに自動的に調節されることになる。
【００３２】
以上、説明した本発明の実施例１に係る前記調節用鉤ホック１によれば、前記ズボン５のウエストサイズが利用者のウエストサイズに適合するサイズに自動的に調節されるといった、従来からの効果と同様の効果を奏することは勿論のこと、購入時より前記ズボン５に取り付けられている前記ズボン雌ホック５ｅに前記調節用鉤ホック１における前記雄ホック４ｅを取り付けるので、既存のズボン等にも使用することができる。
これによって、前記ズボン５のウエスト部５ａにホックを並列して複数に亘り有するといった体裁が悪くなるということもなくなる。
また、購入時より前記ズボン５に取り付けられている前記ズボン雌ホック５ｅを取替える必要もなくなる。
更に、前記ズボン５の前記ウエスト部５ａの生地に直接取り付けないことから、前記調節用鉤ホック１の着脱を容易に行うことができる。
また、前記雄ホック４ｅを前記鉤ホック基体４の下方位置に設けたので、前記調節用鉤ホック１を取り付けた際には、購入時より前記ズボン５に取り付けられている前記ズボン雌ホック５ｅを覆い隠すことができる。
これによって、ズボン、スカート等におけるウエスト部の体裁をよくすることができる。
更に、前記鉤ホック基体４における前記バネ収納空間４ａを延設して折曲し前記雄ホック４ｅを形成したので、部品点数を削減することができ、コストを削減することができる。
また、前記鉤ホック基体４と一体に形成することから、前記雄ホック４ｅのみを紛失してしまい前記調節用鉤ホック１の使用ができなくなることもなくなる。
【実施例２】
【００３３】
次に、本発明の調節用鉤ホックの実施例２における調節用鉤ホック６について図６乃至図８に基づいて説明する。本実施例２おける発明は、実施例１と略同様の作用及び効果を奏するが調節用鉤ホック６の構造において相違する。
【００３４】
雌ホック７ｄを有する鉤ホック主体７は、前記実施例１における前記鉤ホック主体２と略同様の構成であるが、バネ８と当接する突片７ｃの設置位置が相違する。
図６に示すように、前記雌ホック７ｄより略中央部側の基板７ａが、垂直下方へ折曲されて前記突片７ｃが形成される。
【００３５】
雄ホック９ｅを有する鉤ホック基体９は、前記実施例１における前記鉤ホック基体９と略同様の構成であるが、雄ホック９ｅの設置位置が相違する。
図６に示すように、前記貫通孔９ｆを有しない側のバネ収納空間９ａの端部が、摺動レール９ｂと略同等の高さまで折曲した後、前記鉤ホック基体９における長手方向の外側へ折曲され、垂直下方へ折曲された後、前記ズボン５における前記ウエスト部５ａの前記ズボン雌ホック５ｅへ取り付け可能となるように、前記バネ収納空間９ａにおける長手方向の内側方向にも折曲されている。
【００３６】
このように、実施例１のように前記バネ収納空間４ａの下方位置ではなく、実施例２においては、前記雄ホック９ｅを前記バネ収納空間９ａにおける長手方向の外側位置へ設けることによって、前記バネ収納空間９ａの高さを減少させることができる。
また、前記バネ収納空間９ａの端部を、摺動レール９ｂと略同等の高さまで折曲させたことにより、当該折曲部が前記実施例１における前記当接片４ｄと同等の効果を奏するので、実施例１のように、前記摺動レール４ｂの端部に当接片４ｄを設ける必要はない。
また、前記バネ収納空間９ａにおける他端部の貫通孔９ｆは、実施例１と異なり円形状の貫通孔を複数個に設けることもできる。
【００３７】
このようにして構成される実施例２の調節用鉤ホック６の組立方法の一例について説明する。
バネ８の一端部を前記鉤ホック主体７における長手方向の前記突片７ｃの内側面で押縮させながら、前記鉤ホック主体７における前記レール覆縁７ｆを前記鉤ホック基体９における前記摺動レール９ｂへ係合させて組み立てる点は、実施例１と同様である。
このとき、前記鉤ホック主体７の端部は、前記鉤ホック基体９における前記雄ホック９ｅの上方を覆うように延設して形成される。
【００３８】
また、前記バネ８の付勢力により、前記鉤ホック主体７は脱離する方向へスライド可能となるが、図８（ｂ）に示すように、前記鉤ホック基体９に設けられた前記当接片９ｄが、前記鉤ホック主体７に設けられた前記突片７ｃにおける前記バネ８を押縮しない外側面と当接する為、前記鉤ホック主体７は外れることはない。当該脱離防止構造において、前記実施例１と相違するものであるが、当該鉤ホック基体に当接片を有する点で同様である。
【００３９】
以上、説明した本発明の実施例２に係る前記調節用鉤ホック６によれば、前記実施例１と同様の効果を奏するものであるが、実施例１のように前記バネ収納空間４ａの下方位置ではなく、前記雄ホック９ｅを前記バネ収納空間９ａにおける長手方向の外側位置へ設けたので、前記バネ収納空間９ａの高さを減少させることができる。
これによって、前記調節用鉤ホック６を全体として薄型にすることができ、意匠性を向上させることができる。
また、前記鉤ホック主体７がスライドした際においても、前記鉤ホック基体９における長手方向の外側へ折曲して形成された前記雄ホック９ｅが露呈するだけであるので、前記実施例１における調節用鉤ホック１と比較して意匠性を向上させることができる。
【００４０】
更に、図９（ａ）に示すように、前記実施例１における前記雌ホック２ｄを前記貫通孔４ｆ側に複数個に設けることもできる。これによって、前記ズボン雄ホック５ｄの係合箇所を変更することができるので、利用者のウエストサイズに適合するサイズを拡張させることができる。
また、図（ｂ）に示すように、前記実施例２においても同様の構成により、同様の効果を奏することができる。
【実施例３】
【００４１】
次に、本発明の調節用鉤ホックの実施例３における調節用鉤ホック１０について図１０乃至図１５に基づいて説明する。本実施例３おける発明は、実施例１及び実施例２と略同様の作用及び効果を奏するが調節用鉤ホック１０の構造において相違する。
【００４２】
鉤ホック主体１１は、実施例１における鉤ホック主体２と略同様の構成であるが、雌ホック２ｄではなく雄ホック１１ｄを有する点で相違する。図１０に示すように、当該雄ホック１１ｄは、基板１１ａにおいて突片１１ｃと逆の端部が鉤ホック主体１１の上方に延設され、突片１１ｃ側に向かって略Ｊ字状に形成して設けられる。これにより、図１３及び図１４に示すように、ズボン５におけるズボン雌ホック５ｅへと取り付け可能となる。また、基板１１ａは、図１２に示すように、長手方向において略中央部から両端部にかけて上方に緩やかな曲面を有するものである。これにより、利用者のウエストラインに沿わせることができる。
【００４３】
鉤ホック基体１３は、実施例１における鉤ホック基体４と略同様の構成であるが、雄ホック４ｅではなく雌ホック１３ｅを有する点で相違する。図１０に示すように、当該雌ホック１３ｅは、バネ収納空間１３ａにおいて当接片１３ｄと逆の端部が鉤ホック基体１３の長手方向に延設され、ズボン５におけるズボン雄ホック５ｄが挿通する間隙１３ｇを有するように下方に向かって突出して設けられる。
また、バネ収納空間１３ａにおいて当接片１３ｄ側の端部には、縫着糸５ｆにて上生地５ｂへと固着する際に使用する貫通孔１３ｆが設けられている。
更に、バネ収納空間１３ａは、図１２に示すように、長手方向において略中央部から両端部にかけて、鉤ホック主体１１における基板１１ａと同様に上方に緩やかな曲面を有するものである。これにより、利用者のウエストラインに沿わせることができる。
【００４４】
このようにして構成される実施例３の調節用鉤ホック１０の組立方法は、実施例１における組立方法と同様である。
【００４５】
以上、説明した本発明の実施例３に係る調節用鉤ホック１０によれば、実施例１及び実施例２と同様の効果を奏するものであるが、雌ホック１３ｅをズボン雄ホック５ｄに取り付ける為、図１３及び図１４に示すように、利用者が調節用鉤ホック１０の取り付けられたズボン５を着衣する際等において、第三者からは当該調節用鉤ホック１０の使用の有無がわからない状態となり、体裁をよくすることができる。
また、図１５に示すように、雄ホック１１ｄの長手方向に係止片１１ｆを設けることもでき、鉤ホック主体１１側へ屈曲する先端部によって、ズボン雌ホック５ｅとの係合をより確実に行うこともできる。
【００４６】
また、本願発明は上記実施例に限られず、各種のズボン、スカート等のウエスト部に設けられる衣服用ホックである衣服用雄ホック及び衣服用雌ホックにおいても採用することができるものである。
【図面の簡単な説明】
【００４７】
【図１】本発明の実施例１における調節用鉤ホックの各部品の斜視図である。
【図２】本発明の実施例１における調節用鉤ホックの斜視図である。
【図３】本発明の実施例１における調節用鉤ホックの（ａ）正面図、及び（ｂ）正面垂直断面図である。
【図４】本発明の実施例１における調節用鉤ホックをズボンにおけるズボン雌ホックへ取り付けた際の部分説明図である。
【図５】本発明の実施例１における調節用鉤ホックをズボンにおけるズボン雌ホックへ取り付けた際の垂直断面図である。
【図６】本発明の実施例２における調節用鉤ホックの各部品の斜視図である。
【図７】本発明の実施例２における調節用鉤ホックの斜視図である。
【図８】本発明の実施例２における調節用鉤ホックの（ａ）正面図、及び（ｂ）正面垂直断面図である。
【図９】本発明における調節用鉤ホックにおいて雌ホックを複数個有した（ａ）実施例１の斜視図、及び（ｂ）実施例２の斜視図である。
【図１０】本発明の実施例３における調節用鉤ホックの各部品の斜視図である。
【図１１】本発明の実施例３における調節用鉤ホックの斜視図である。
【図１２】本発明の実施例３における調節用鉤ホックの（ａ）正面図、及び（ｂ）正面垂直断面図である。
【図１３】本発明の実施例３における調節用鉤ホックをズボンにおけるズボン雄ホックへ取り付けた際の部分説明図である。
【図１４】本発明の実施例３における調節用鉤ホックをズボンにおけるズボン雄ホックへ取り付けた際の垂直断面図である。
【図１５】本発明の実施例３における別仕様の調節用鉤ホックの斜視図である。
【符号の説明】
【００４８】
１、６、１０  調節用鉤ホック
２、７、１１  鉤ホック主体
２ａ、７ａ、１１ａ  基板
２ｂ、７ｂ、１１ｂ  側部
２ｃ、７ｃ、１１ｃ  突片
２ｄ、７ｄ  雌ホック
１１ｄ      雄ホック
２ｅ、７ｅ  間隙
２ｆ、７ｆ、１１ｅ  レール覆縁
１１ｆ      係止片
３、８、１２  バネ
３ａ、８ａ、１２ａ  バネ幅
３ｂ、８ｂ、１２ｂ  バネ長
３ｃ、８ｃ、１２ｃ  バネ高
４、９、１３  鉤ホック基体
４ａ、９ａ、１３ａ  バネ収納空間
４ｂ、９ｂ、１３ｂ  摺動レール
４ｃ、９ｃ、１３ｃ  バネガイド片
４ｄ、９ｄ、１３ｄ  当接片
４ｅ、９ｅ  雄ホック
１３ｅ      雌ホック
４ｆ、９ｆ、１３ｆ  貫通孔
１３ｇ      間隙
５          ズボン
５ａ        ウエスト部
５ｂ        上生地
５ｃ        下生地
５ｄ        ズボン雄ホック
５ｅ        ズボン雌ホック
５ｆ        縫着糸
【図１】
0004598110.tif 000002
【図２】
0004598110.tif 000003
【図３】
0004598110.tif 000004
【図４】
0004598110.tif 000005
【図５】
0004598110.tif 000006
【図６】
0004598110.tif 000007
【図７】
0004598110.tif 000008
【図８】
0004598110.tif 000009
【図９】
0004598110.tif 000010
【図１０】
0004598110.tif 000011
【図１１】
0004598110.tif 000012
【図１２】
0004598110.tif 000013
【図１３】
0004598110.tif 000014
【図１４】
0004598110.tif 000015
【図１５】
0004598110.tif 000016